(57)【要約】【課題】本発明は、書画カメラに関するものであり、特に、利用場所を限定せずに、効率的に授業やプレゼンテーションを行えることを目的としている。【解決手段】本発明は上述の目的を達成するため、本体と、この本体に設けられた折り畳み可能なアームと、このアームの先端に設けられたカメラとを有する書画カメラであって、前記本体の表面に設けられたモニター画面と、撮影時の画質の調節等の操作を行う操作部とを有し、前記アームを伸ばした状態及び前記アームを折り畳んだ状態で撮影することが可能な書画カメラである。 【選択図】    図１
2016219931.tif 000002
【特許請求の範囲】
【請求項１】
本体と、この本体に設けられた折り畳み可能なアームと、このアームの先端に設けられたカメラとを有する書画カメラであって、前記本体の表面に設けられたモニター画面と、撮影時の画質の調節等の操作を行う操作部とを有し、前記アームを伸ばした状態及び前記アームを折り畳んだ状態で撮影することが可能な書画カメラ。
【請求項２】
前記本体内部に、バッテリと、撮影した画像データを無線送信する無線送信装置とを有することを特徴とする請求項１項記載の書画カメラ。
【請求項３】
前記操作部は、前記モニター内に設けられていることを特徴とする請求項１項記載の書画カメラ。
【発明の詳細な説明】
【技術分野】
【０００１】
本発明は、企業のプレゼンテーション時や、学校における授業等に用いる書画カメラに関するものである。
【背景技術】
【０００２】
従来から、学校の教室や、企業の会議室で、資料を書画カメラで撮影して、この撮影画像をプロジェクタを用いて、大型のスクリーンに投影して、授業やプレゼンテーションが行われている。
この書画カメラは、テーブルなどに置いた書類等の資料を撮影するため、アーム或いはスタンドを有している。
【０００３】
下記の特許文献１には、携帯型の書画カメラが示されている。
また、特許文献２には、モバイルスタンドスキャナが示されている。
これらは共に、不使用時に、アームを折り畳んで本体内に収納可能とすることで、装置を小型化して可搬性を高めている。
また、特許文献３には、市販のカメラを配置可能なカメラスタンドが示されている。
【０００４】
【特許文献１】特開２０１０−１７１７６１号
【特許文献２】実用新案登録第３１６８７５２号
【特許文献３】特開２００５−９９７０８号
【発明の開示】
【発明が解決しようとする課題】
【０００５】
従来の書画カメラには、通常上記特許文献１に示されるように、モニタ画面がない。また、あるとしても、特許文献２に示されるように、アームの先端のカメラ配置部の裏に設けられている。
このため、アームの先端が重くなり、アームの強度を上げる必要が生じる。また、モニタはアームの先端の形状に合わせた小さなものしか設けることができない。
更に、特許文献１及び２に示すものは、小さく折り畳むことができるが、折り畳んだ状態で、通常の携帯カメラとして用いることができない。
【０００６】
本発明は、小型、コンパクトな書画カメラを提供するものであり、かつ書画カメラを、場所を選ばず、場所を移動して種々の資料を撮影可能とすることを目的としている。
【課題を解決するための手段】
【０００７】
上記課題を解決するため、本発明は、請求項１に記載するように、本体と、この本体に設けられた折り畳み可能なアームと、このアームの先端に設けられたカメラとを有する書画カメラであって、前記本体の表面に設けられたモニター画面と、撮影時の画質の調節等の操作を行う操作部とを有し、前記アームを伸ばした状態及び前記アームを折り畳んだ状態で撮影することが可能であることを特徴としている。
【０００８】
また、請求項２に記載するように、前記本体内部に、バッテリと、撮影した画像データを無線送信する無線送信装置とを有することを特徴としている。
更に、請求項２に記載するように、前記操作部は、前記モニター内に設けられていることを特徴としている。
【発明の効果】
【０００９】
本発明によれば、書画カメラにおいて、小型、軽量化を可能とすると共に、この書画カメラをコンパクトに折り畳んで、通常のカメラのように持ち運び、場所を限定せずに利用することが可能となる。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例の書画カメラを示す斜視図である。
１は本体であり、この本体１の内部には、駆動バッテリ、制御回路基板、無線通信装置等が収納されている。
２はモニタ部であり、本書画カメラで撮影している画像が表示される。
３は操作部であり、撮影された画像のフォーカスの調節、撮影された画像の明るさの調節、撮影画像の拡大、縮小などのための操作ボタンが設けられている。
４はアームであり、本体１の長軸方向の長さに略等しい２本の直方体が端部で接続された構造を有し、折り畳み可能に本体１に接続されている。
５はカメラ部であり、アーム４の先端に回転可能に接続されている。
【００１２】
図２は、アーム４を折り畳んで本体１に収納した状態を示している。
このアーム４は、折り畳まれた状態で、本体１の図中右側面に収納され、カメラ部５は、本体の図中上部側面に収納される。
カメラは、図示されていないが、カメラ部５の図中底面部に設けられている。
このため、アーム４を折り畳んだ状態で資料を撮影するためには、本体を持ち上げて、本体の裏面を資料に向ける必要がある。
【００１３】
前記アーム４を伸ばした状態で、本実施例の書画カメラを使用している状態を図３に示す。
図３に示すように、アーム４を伸ばした状態で、カメラ部５を回転して、カメラを下に向けることで、下に配置した資料６を撮影する。
撮影された画像は、本体１に設けられた図示しない無線通信装置によって、プロジェクタ７に送信される。
プロジェクタ７からの出力画像は、スクリーン８に投影される。
尚、このスクリーン８に投影される画像は、モニタ２に表示されている画像と同じものである。
モニタ２を確認しながら、フォーカスや画像の明るさを調節する操作ボタンを操作して、最適な表示状態となるよう調節する。
【００１４】
前記アーム４を折り畳んだ状態で、本書画カメラを使用している状態を図４に示す。
アーム４を折り畳んで、本体１に収納してコンパクトにした状態で、本体を持ち上げ、カメラを資料６に向けることで、アーム４を伸ばした状態では撮影が難しい資料６を撮影する。
例えば、学校の図画工作の授業では、各生徒が作成した作品を、先生が書画カメラをその生徒の席に持って行き、その作品を撮影する。
【００１５】
従来の書画カメラでは、アーム４をコンパクトに収納した状態では、使用することができなかったために、このような場所を移動しての撮影や、書類などの資料以外の資料の撮影は困難であった。
これに対し、本実施例のように、本体１の表面にモニタ２を設け、かつ、アーム４を折り畳んだ状態で使用可能とすることによって、撮影場所を限定せずに、移動しての撮影が可能となる。
【００１６】
また、カメラ部５はカメラのみ配置するため、小型軽量化が可能となり、アーム４は必要以上に剛性を高める必要がなくなる。
このため、例えば、小型のモータをアーム４の接続部に設けて、アーム４の折り畳みなどを自動化することも可能となる。
【００１７】
更に、本体１の表面にモニタを配置したことにより、カメラ部５にモニタ２を配置する場合に比べ、モニタ２を大きくすることが可能となり、表示画像の調節が容易となる。
【００１８】
尚、従来の書画カメラでは、電力は室内のコンセントを介して外部から供給しているが、本実施例装置ではバッテリを内蔵しているため、コンセントから遠隔の場所においても使用することが可能となる。
【００１９】
以上の実施例では、操作部３を、モニタ２と離間して設けているが、図５に示すように、モニタ２内に操作部３を設けてもよい。
この第２の実施例では、モニタ２は、タッチパネルで構成されており、モニタ２に表示された操作部３の操作ボタンを、利用者がタッチすることで、前述の操作が行われる。
このように、操作部３をモニタ２上に設けることで、装置の低コスト化や軽量化、小型化を図ることができる。
【００２０】
本発明は、上述の実施例に限定されるものではなく、例えば、本体の形状や大きさ、アームの形状などは種々変更可能である。
また、本体内部にメモリを設けて、撮影画像を記録可能としてもよい。
【００２１】
また、パーソナルコンピュータと通信可能としてもよく、外部機器との接続用端子を設けてもよい。
【産業上の利用可能性】
【００２２】
本発明は、学校の授業や、企業におけるプレゼンテーション等に利用するものであり、特に利用場所を限定せずに、効率的にプレゼンテーションを行うことを可能にすると共に、従来では撮影が難しかった資料を撮影することを可能とするものである。
【図面の簡単な説明】
【００２３】
【図１】図１は、本発明の実施例の形態に係る書画カメラにおいて、アームを伸ばした状態の外形を示す図である。
【図２】図２は、本発明の実施例の形態に係る書画カメラにおて、アームを折り畳んだ状態を示す図である。
【図３】図３は、本発明の実施例の形態に係る書画カメラの第１の使用状態を示す図である。
【図４】図４は、本発明の実施例の形態に係る書画カメラの第２の使用状態を示す図である。
【図５】図５は、本発明の第２の実施例の形態に係る書画カメラにおて、アームを折り畳んだ状態を示す図である。
【符号の説明】
【００２４】
１：本体
２：モニタ
３：操作部
４：アーム
５：カメラ部
【図１】
2016219931.tif 000003
【図２】
2016219931.tif 000004
【図３】
2016219931.tif 000005
【図４】
2016219931.tif 000006
【図５】
2016219931.tif 000007